(57)【要約】      （修正有）【課題】速乾性で抗菌作用を有し、長期装着に耐えベタツキを抑制し得るカツラ専用接着剤を提供する。【解決手段】変性シリコーン接着剤に少量の粉状抗炎症剤・粉状殺菌剤を添加することで解決できる。特に、抗炎症剤又は殺菌剤として塩酸ジフェンヒドラミン、塩化セチルピリジニウム、塩化リゾチウム、イソプロピルメチルフェノール又はグリチルリチン酸ジカリウムの内3種以上を使用することが好ましい。【選択図】なし【特許請求の範囲】
【請求項１】
変性シリコーン接着剤に粉状抗炎症剤及び粉状殺菌剤を添加したカツラ専用接着剤。
【請求項２】
抗炎症剤及び殺菌剤の添加量が５％〜０．０２％であることを特徴とする請求項１記載のカツラ専用接着剤。
【請求項３】
抗炎症剤又は殺菌剤として塩酸ジフェンヒドラミン、塩化セチルピリジニウム、塩化リゾチウム、イソプロピルメチルフェノール又はグリチルリチン酸ジカリウムの内3種以上を使用することを特徴とする請求項１又は２記載のカツラ専用接着剤。
【発明の詳細な説明】
【技術分野】
【０００１】
本発明は、カツラ専用接着剤に関するもので、特に速乾性で抗菌作用を有し、長期装着に耐えベタツキを抑制し得るカツラ専用シリコーン接着剤に関する。
【背景技術】
【０００２】
近年、カツラの技術が急速に進歩し、女性のみならず男性も躊躇なく愛用し、老若男女が着用する時代となっている。
【０００３】
しかしながら、カツラの技術は、毛髪の状態、すなわちいかに天然の毛髪に見せるかに集中しており、カツラを頭皮に留める方法の技術はそれに比べて進歩していないのが現状である。
【０００４】
従来、カツラを頭皮に留める方法としては、クリップによる方法、両面テープによる方法、あるいは天然ゴム系の接着剤による方法等があった。例えば、合成ポリイソプレンラテックスを主基剤とする義髪類用接着剤が開示されている(特開昭５７−９２０７３号公報(特許文献１))が、装着保持時間が１日程度であり、また水泳時に離脱する等の欠点があり、一方強固に固定するとはずし難く、また有害な成分を含んだ接着剤である等、カツラを常用している人たちからは不満の声が上がっていた。
【０００５】
そこで本発明者は、上記のような問題を解決できる接着剤を開発し、既に特許出願をしている(特開２００２−３１７１６４号公報(特許文献２))。すなわち、アクリルと酢酸ビニル樹脂との共重合エマルジョンを主成分とする水性接着剤を発明した。
【０００６】
更に、長期使用に耐えられるような水性粘着剤として、水性ウレタン樹脂剤を主成分とする水性粘着剤用効果延長剤を開発し、特許出願をしている(特開２００５−１３２９５０号公報(特許文献３))。
【０００７】
また、電気・電子部品用の接着剤としてはシリコーン接着剤が知られているが、乾燥接着に長時間を要するため、カツラの接着には不向きであると考えられていた。
【０００８】
【特許文献１】特開昭５７−９２０７３号公報
【特許文献２】特開２００２−３１７１６４号公報
【特許文献３】特開２００５−１３２９５０号公報
【発明の開示】
【発明が解決しようとする課題】
【０００９】
速乾性で抗菌作用を有し、長期装着に耐えベタツキを抑制し得るカツラ専用接着剤を開発することを課題とする。
【課題を解決するための手段】
【００１０】
本発明者等は、上記課題を解決すべく鋭意努力した結果、変性シリコーン接着剤に少量の粉状抗炎症剤・粉状殺菌剤を添加することで解決できることを見出した。
【００１１】
すなわち、本発明は
(１)変性シリコーン接着剤に粉状抗炎症剤及び粉状殺菌剤を添加したカツラ専用接着剤、
(２) 抗炎症剤及び殺菌剤の添加量が５％〜０．０２％であることを特徴とする(１)記載のカツラ専用接着剤、
(３) 抗炎症剤又は殺菌剤として塩酸ジフェンヒドラミン、塩化セチルピリジニウム、塩化リゾチウム、イソプロピルメチルフェノール又はグリチルリチン酸ジカリウムの内3種以上を使用することを特徴とする(１)又は(２)記載のカツラ専用接着剤
に関する。
【００１２】
シリコーンは、オイル、エマルジョン、ゴム状、樹脂状及びモノマーに分けられ、主に剥離・離型剤として使用されており、他に撥水剤や電気絶縁体、潤滑剤としても用いられている。また乳液やクリーム等の油剤や界面活性剤、ファンデーション・日焼け止め等の皮膜剤、粉体の処理剤・分散剤としても使用されている。更には、シリコーンは基本的に無害であるところから、食品の消泡剤、医療用皮膚再生パットとしても用いられている。
【００１３】
更に、前述のように電気・電子部品用の接着剤あるいは建築用構造接着剤が最近の用途として脚光を浴びている。
【００１４】
しかしながら、前述のように、シリコーン接着剤は乾燥接着に長時間を要するため、カツラの接着には不向きであると考えられていたが、本発明者等は少量の粉状抗炎症剤・粉状殺菌剤を添加することで解決できることを見出したのである。
【００１５】
なお、変性シリコーンとは、シリコーンの中で側鎖、末端に有機基を導入したものを称しているが、本発明における変性シリコーン接着剤とは、通常市販されている変性シリコーン接着剤を使用することができる。
【発明の効果】
【００１６】
本発明により、速乾性で抗菌作用を有し、長期装着に耐えベタツキを抑制し得るカツラ専用粘着剤を提供することができる。
【発明を実施するための最良の形態】
【００１７】
本願発明をより詳細に説明するために、以下に実施例を示すが、本発明はこれに限定されるものではない。
【実施例１】
【００１８】
(抗炎症剤・殺菌剤の選択)
抗炎症剤・殺菌剤は各種あるので、それぞれテストを行い、最も効果的なものを選択した。
【００１９】
◎テスト抗炎症剤・殺菌剤名
安息香酸、安息香酸塩、イソプロピルメチルフェノール、塩化セチルピリジニウム、塩化リゾチウム、塩酸ジフェンヒドラミン、オクトピロックス、感光素、グリチルリチン酸ジカリウム、サリチル酸、サリチル酸塩、ジンクピリチオン、チモール、トリクロロカルバニリド、パラベン、ハロカルバン、ピリチオン亜鉛、レゾルシン(アイウエオ順)
【００２０】
上記のうち、抗炎症剤としては、塩酸ジフェンヒドラミン及びグリチルリチン酸ジカリウムが、殺菌剤としてはイソプロピルメチルフェノール、塩化セチルピリジニウム、塩化リゾチウムが、分散性、透過性の点で好ましい結果が得られた。
【００２１】
抗炎症剤及び殺菌剤の添加量については、接着剤総量に対して５％〜０．０２％が好ましいが、最も好ましいのは１％〜０．０２％であることも分かった。そして、抗炎症剤と殺菌剤の比は、１：１程度が好ましい。
【００２２】
なお、抗炎症剤と殺菌剤はいずれも粉体であることが望ましい。液体の場合は、粘着力が弱まり速乾性も悪くなる。
【００２３】
また、抗炎症剤・殺菌剤の単体使用と複数使用の良否について検討したところ、３品種以上の抗炎症剤・殺菌剤を混合使用することにより、速乾性の点でより好ましい結果が得られることも分かった。
【実施例２】
【００２４】
(速乾性のテスト)
速乾性に関して、本発明品と従来製品との比較を行った結果を表１にまとめた。なお、本発明品は、次の成分で構成されているものを使用した。
変性シリコーン接着剤                                 ９９．９７％
抗炎症剤(粉体)・殺菌剤(粉体)                           ０．０３％
塩酸ジフェンヒドラミン(抗炎症剤)                       ０．０１％
塩化セチルピリジニウム(殺菌剤)                       ０．０１５％  
グリチルリチン酸ジカリウム(抗炎症剤)                 ０．００５％   
【００２５】
テストの方法は、３０ｃｍ×２０ｃｍの長方形の透明ポリエチレン板に１ｇの各「変性シリコーン接着剤」を塗布し、乾燥性の速度を確認した。
【００２６】
また、耐水及び耐薬品性を確認するために、表面が完全に乾燥し固形化した状態までの時間も測定した。
【００２７】
【表１】
2010077355.tif 000002
表２から分かるように、本発明品は他社の変性シリコーン接着剤に比べて乾燥時間が３分の１程度であり、シリコーン接着剤に比しても３分の１程度であるから、カツラの接着剤として好適であることを証明している。
【実施例３】
【００２８】
(装着持続時間等のテスト)
実施例２に記載の本発明品と従来の接着剤との装着持続期間等の比較試験を行った。その結果を表２にまとめた。
【００２９】
【表２】
2010077355.tif 000003
上記表の「炎症者」、「ベタツキ感」及び「毛髪の展着」については、全て本発明品に対する結果である。また、従来品とは、抗炎症剤・殺菌剤を含まない変性シリコン接着剤である。
【００３０】
上記表から明らかなように、従来品は１０日までしか固定されておらず、一方、本発明の接着剤は、１０日以上であっても装着に耐えることができた。しかもベタツキ感がなく、毛髪への展着も少なく、炎症者も皆無である。なお、装着に耐えるとは、入浴洗髪時にシャンプーを３ｇ手に取り、頭髪に塗布しシャワーにて洗髪することに耐えることを意味する。